(57)【要約】      （修正有）【課題】手提げ運搬用具を提供する。【解決手段】手提げ運搬用具は、コンピュータ、小型家電等の方形物品を手提げ運搬するのに用いられ、適宜長さの長尺状本体を具え、長尺状本体は撓み性を有し、折り曲げて中央エリアと両側面エリアを形成でき、両側面エリア内側に強力な粘着力を有する両面接着テープが設けられ、別に長尺状本体の適宜位置（例えば中央エリア或いは側面エリア）に把手が設けられる。これにより、本考案を物品の上方に置き、両側面の両面接着テープを物品に粘着させることで、使用者が軽々と物品を手に提げることができ、便利で実用的である。【選択図】図６
0003155859.tif 000002
【実用新案登録請求の範囲】
【請求項１】
撓み性を有し、折り曲げて中央エリアとその両側の側面エリアからなる逆Ｕ形構造を構成可能な、長尺状本体を具え、各該側面エリアの内側面の所定エリアに両面接着テープが設けられ、少なくとも一つの把手が該長尺状本体に設けられ、該把手により物品の手提げ運搬に供されることを特徴とする、手提げ運搬用具。
【請求項２】
請求項１記載の手提げ運搬用具において、各該両側エリアをカッティングにより各種造形とすることができることを特徴とする、手提げ運搬用具。
【請求項３】
請求項１記載の手提げ運搬用具において、該長尺状本体が紙材とされたことを特徴とする、手提げ運搬用具。
【請求項４】
請求項１記載の手提げ運搬用具において、該長尺状本体が高分子重合物とされたことを特徴とする、手提げ運搬用具。
【請求項５】
請求項１記載の手提げ運搬用具において、該中央エリアに二つの止め孔が離間設置され、該把手はその両端の係止凸部で該止め孔間に取り付けられて、物品保持の施力部分を構成することを特徴とする、手提げ運搬用具。
【請求項６】
請求項１記載の手提げ運搬用具において、少なくとも一つの側面エリアに表示部が設けられたことを特徴とする、手提げ運搬用具。
【請求項７】
請求項１記載の手提げ運搬用具において、各該側面エリアの上部にそれぞれ二つの止め孔が設けられて、撓み性部品が通され、二つの撓み性把手が形成されたことを特徴とする、手提げ運搬用具。
【請求項８】
請求項１記載の手提げ運搬用具において、該両面接着テープのサイズは実際の積載物品の重量により変更されることを特徴とする、手提げ運搬用具。
【請求項９】
撓み性を有し、折り曲げて中央エリアとその両側の側面エリアからなる逆Ｕ形構造を構成可能な、長尺状本体を具え、該中央エリアが該側面エリアよりも細い細長体とされて手提げ用の把手を形成することを特徴とする、手提げ運搬用具。
【請求項１０】
撓み性を有し、折り曲げて中央エリアとその両側の側面エリアからなる逆Ｕ形構造を構成可能な、長尺状本体を具え、該中央エリアに滑り止め紋様が設けられたことを特徴とする、手提げ運搬用具。
【考案の詳細な説明】
【技術分野】
【０００１】
本考案は一種の方形物品、例えばコンピュータ、小型家電等を運搬するのに用いられる手提げ運搬用具であって、物品を持ち上げる際に、速やかで、便利であるものに関する。
【背景技術】
【０００２】
日常生活においては、各種サイズの物品を持ち上げ必要が生じる。例えば、小型電化製品を修理に出したり、購入したりする場合である。物品が方形である場合、重量を支えることができても、手に提げにくいことがある。特に、体積が大きい物品の場合、両手で物品の底部を支えるか、或いは物品を胸の前に抱える必要がある。そのいずれの場合でも、力を入れにくく、且つ手が疲れたり痺れたりしやすく、特に、階段の昇り降り時には前方が見えにくく、さらに、エレベータに乗るときには、両手で物品を抱えていると、エレベ−タのボタンを押すことができず、肘や鼻先でボタンを押したり、他人に頼んで押してもらう煩わしさが生じる。
【０００３】
また、大型のプラスチックバッグに物品を入れて持ち上げる場合もあるが、プラスチックバッグの強度は充分でなく、破れ易い。また、紙箱に包装しても、前述の問題を解決することはできない。また、紐で物品を括って手に提げられるようにする場合、きつく括りすぎて手指を差し込むのに不便で、力を入れにくい等、多くの問題が生じ、一般にこのような状況に対しては有効な解決策がない。
【０００４】
また、小売やサービス業の店舗、例えばコンピュータ或いは小型家電等の物品の修理店では、修理に送る物品に記録或いは顧客データを貼り付けて、包装後にそれが隠されるようにしており、もし包装せずに直接メモをコンピュータ或いは小型家電に貼り付けると、見た目が悪く、顧客を怒らせてしまうことがある。
【考案の概要】
【考案が解決しようとする課題】
【０００５】
本考案は、一種の長尺状の手提げ運搬用具を提供することを目的とし、それは、適宜長さの長尺状本体を具え、該長尺状本体は撓み性を有し、折り曲げて中央エリアとその両側に位置する側面エリアからなる逆Ｕ形構造を形成でき、そのうち、該中央エリアには把手が設けられ、側面エリアには両面接着テープが設けられ、本考案の逆Ｕ形構造が物品の上方に置かれ、両側面エリアの両面接着テープが物品側辺に接着され、使用者が該物品を軽々と持ち上げることができ、且つ物品のサイズに制限されず、使用上、充分に便利で実用的であるものとする。
【０００６】
本考案はフレキシブルな構造体とされ、ゆえに収納時に収納時には折り畳んで収納でき、場所を取らず、環境の美観に有利である。このほか、本考案の側面エリアにはマーキングでき、搬送、修理及び処理作業員による識別に有利で、大幅に運搬物情報の伝送効率を高められる。このほか、側面エリアの造形は、必要に応じて、異なるカッティング、パターンが設けられ、外観の鑑賞効果を有する、手提げ運搬用具を提供することを目的とする。
【０００７】
本考案はまた、生物可分解性の材質（例えば、紙、高分子可分解物質）で製造されるほか、折り畳み後に場所をとらず、環境保護の要求に符合する手提げ運搬用具を提供することを目的とする。
【０００８】
本考案は、収納時に、折り畳んで収納できて場所をとらず、環境の美観に有利であり、また、搬送、修理及び処理作業員による識別に有利で、大幅に運搬物情報の伝送効率を高められ、外観の鑑賞効果を有する、手提げ運搬用具を提供することを目的とする。
【課題を解決するための手段】
【０００９】
本手提げ運搬用具は、コンピュータ、小型家電等の方形物品を手提げ運搬するのに用いられ、適宜長さの長尺状本体を具え、該長尺状本体は撓み性を有し、折り曲げて中央エリアと両側面エリアを形成でき、該両側面エリア内側に強力な粘着力を有する両面接着テープが設けられ、別に長尺状本体の適宜位置（例えば中央エリア或いは側面エリア）に把手が設けられる。これにより、本考案を物品の上方に置き、両側面の両面接着テープを物品に粘着させることで、使用者が軽々と物品を手に提げることができるようにしている。
【考案の効果】
【００１０】
本考案の実施時には、以下のような長所がある。
１．本考案は直接物品に貼り付けて、手提げ運搬用具として使用でき、使用上、充分に便利で且つ迅速であり、物品より大きなプラスチック袋或いはその他の梱包用の紐を探す必要がなく、各種一般規格の方形物品に適用できる。
２．本考案の手提げ運搬用具は、折り畳んで収納でき、ゆえに収納に便利である。
３．本考案の手提げ運搬用具は、側面エリアの外側に表示部が設けられて、必要な情報をかき込むことができ、物品処理の効率をアップすることができる。
４．本考案の手提げ運搬用具は、その把手が長尺状本体の中央エリアに設けられるか、或いは両側面エリアに設けられるか、或いは長尺状本体の中央エリアが手提げ運搬の需要に応じて縮頸状或いはその他の造形とされて把手として使用され得る。把手の材質は紐或いはその他の撓み性物質とされ得て、必要に応じて積載重量を分散でき、使用者が物品を手提げ運搬するのに便利である。
【図面の簡単な説明】
【００１１】
【図１】本考案の使用時の立体表示図である。
【図２】本考案の両側面エリアを内向きに折り畳んだ状態表示図である。
【図３】本考案の図１の底面展開図である。
【図４】本考案の側面エリアに表示部を設けた表示図である。
【図５】本考案の使用の側面構造図である。
【図６】本考案の実際の使用の実施例図である。
【図７】本考案の第２実施例構造図である。
【図８】本考案の第３実施例構造図である。
【考案を実施するための形態】
【００１２】
本考案の図１、３に示されるように、本考案は適宜長さの長尺状本体を具え、該長尺状本体１０は撓み性を有し、並びにこれにより折り曲げて中央エリア１１及びその両側の側面エリア１２、１３で構成される逆Ｕ形構造体を形成可能である。そのうち、該中央エリア１１には二つの止め孔１１０、１１１が離間配置され、両側面エリア１２、１３の内側面に所定の面積と強力な粘着力を有する両面接着テープ３０が設けられている（この両面接着テープの面積は保持物品の重量に対応する粘着力に応じて計算される）。この両側面エリア１２、１３は異なる外形に設計可能で、本願図面に示されるような、雲形円弧形のほか、例えばカトゥ−ンキャラクター、動物、花、或いは幾何形状等に設計可能である。
【００１３】
長尺状の把手２０は、その両端にそれぞれ係止凸部２１、２２が設けられ、並びに該係止凸部２１、２２が長尺状本体１０の中央エリア１１の外側面より二つの止め孔１１０、１１１に挿入されて二つの止め孔１１０、１１１間に取り付けられて、物品を保持する施力部分とされる。
【００１４】
図５、６に示されるように、本考案を使用する時は、本考案の側面エリア１２、中央エリア１１、側面エリア１３で構成された逆Ｕ形構造を方形物品５０の上方に置き、並びに両側の側面エリア１２、１３に設置された両面接着テープ３０を物品５０の上方側辺に接着させることで、使用者は該把手２０で軽々と物品を持ち上げられる。且つ物品の大きさの制限がなく、使用上、充分に便利で実用的である。このほか、該両面接着テープ３０の大きさは実際に保持する物品５０の重量により変更され、安全な荷重に基づき設定される。
【００１５】
これにより、本考案の側面エリア１２、中央エリア１１、側面エリア１３で構成される逆Ｕ形構造は、異なる規格となるよう設計可能で、中央エリア１１の幅は、既存の一般的なサイズ、例えばコンピュータ規格、或いはその他の、所定規格の物品に適用可能である。
【００１６】
図３に示されるように、本考案の本体１０は厚紙で製造され、並びに折り曲げられて側面エリア１２、中央エリア１１、側面エリア１３からなる逆Ｕ形構造を形成可能であり、図２に示されるように、折り畳んで場所をとらずに収納できる。また、フレキシブル材料、例えば高分子重合物類（プラスチック）シートを使用して製造でき、特に生物可分解性材料を使用して製造するのが好ましい。
【００１７】
更に図４に示されるように、本考案は少なくとも一方の側面エリア１２、１３に表示部４０を具え、該表示部４０は記録或いは情報書込みに用いられる。
【００１８】
図７に示されるのは、本考案の別の実施例であり、その二つの側面エリア１２、１３の僅かに上方に、それぞれ二つの止め孔１２０、１３０が設けられ、並びに撓み性部品７０例えばロープが通され、把手が構成されて、手提げ運搬に供される。
【００１９】
本考案の図１に示される本体１０の中央エリア１１は縮頸状に形成可能で、すなわち図８のもう一つの実施例のようにすることができる。それは、適宜長さの長尺状本体６０を具え、該長尺状本体６０が撓み性を有し、並びにそれにより折り曲げて中央エリア６１とその両側の側面エリア６２、６３からなる逆Ｕ形構造体を形成できる。この中央エリア６１は比較的細い細長体とされ、並びに二つの側面エリア６２、６３との間には円弧状の縮頸部６４が設けられ、並びに該中央エリア６１に滑り止め紋様６４が設けられ、すなわち該本体６０の中央エリア６１が直接手提げ用の把手を形成している。
【００２０】
以上は本考案の好ましい実施例の説明であって、本考案の実施の範囲を限定するものではなく、本考案に基づきなし得る簡単な変化或いは修飾はいずれも本考案の範囲に属するものとする。
【符号の説明】
【００２１】
１０  本体                  １１  中央エリア          １１０、１１１  止め孔
１２、１３  側面エリア                                １２０、１３０  止め孔
２０  把手                  ２１、２２  係止凸部      ４０  表示部
５０  物品                  ６０  本体                ６１  中央エリア
６２、６３  側面エリア      ６４  縮頸部              ６５  滑り止め紋様
７０  撓み性部品
【図１】
0003155859.tif 000003
【図２】
0003155859.tif 000004
【図３】
0003155859.tif 000005
【図４】
0003155859.tif 000006
【図５】
0003155859.tif 000007
【図６】
0003155859.tif 000008
【図７】
0003155859.tif 000009
【図８】
0003155859.tif 000010